(57)【要約】【課題】  手によって媒体処理ユニット内に媒体を押し込む際または媒体を取り出す際の操作性を向上させる。【解決手段】  媒体挿入口８は常時シャッタ２０によって閉じており、媒体挿入口８から挿入されたカード３０によってシャッタ２０が押し上げられ媒体挿入口８は開放される。媒体挿入口８から挿入されたカード３０は、カード処理ユニット１２内に挿入され押し込まれることにより、カード３０の端子とユニット１２のコンタクタピンとが電気的に接続される。シャッタ２０は基端部側をプリント配線板１０に取り付けられた板ばね１５の遊端部に取り付けられ、板ばね１５によって媒体挿入口８を閉じる方向に付勢されている。カード３０の前端がシャッタ２０に設けられた傾斜部としての第１および第２のリブ２５，２６に当接することにより、シャッタ２０には媒体挿入口８を開放する方向の分力が発生する。【選択図】  図６
2006139456.tif 000002
【特許請求の範囲】
【請求項１】
媒体が挿抜される媒体挿入口と、この媒体挿入口から挿入された媒体を受け入れる媒体受容部と、常時前記媒体挿入口を閉じ媒体挿入口から挿入された媒体が当接することにより前記媒体挿入口を開放するシャッタとを備えた媒体処理装置におけるシャッタ構造において、
前記シャッタを媒体の厚み方向で媒体挿入口を閉じる方向に付勢する付勢手段を設け、前記シャッタに、媒体の挿入によりシャッタを前記付勢手段の付勢に抗して媒体の厚み方向で媒体挿入口を開放する方向に移動させる分力を発生させる傾斜部を設けたことを特徴とする媒体処理装置におけるシャッタ構造。
【請求項２】
請求項１記載の媒体処理装置におけるシャッタ構造において、
前記付勢部材を板ばねとし、この板ばねの基端部を前記媒体受容部側に取り付け、遊動端部に前記シャッタを取り付けたことを特徴とする媒体処理装置におけるシャッタ構造。
【請求項３】
請求項１記載の媒体処理装置におけるシャッタ構造において、
前記媒体の端子間に対応する部位に前記傾斜部を設けたことを特徴とする媒体処理装置におけるシャッタ構造。
【請求項４】
請求項１記載の媒体処理装置におけるシャッタ構造において、
前記傾斜部を前記媒体の幅方向に複数設け、これら傾斜部のうち媒体の幅方向の両端部に対応した少なくとも一対の傾斜部の前記シャッタからの突出量を他の傾斜部の前記シャッタからの突出量よりも多く形成するとともに、この一対の傾斜部の傾斜角度を他の傾斜部のシャッタの傾斜角度よりも大きく形成したことを特徴とする媒体処理装置におけるシャッタ構造。
【請求項５】
請求項１記載の媒体処理装置におけるシャッタ構造において、
前記シャッタを収容する筺体を備え、この筺体に前記媒体挿入口を開放した状態のシャッタの移動を規制する規制部を設けたことを特徴とする媒体処理装置におけるシャッタ構造。
【発明の詳細な説明】
【技術分野】
【０００１】
本発明は、クレジットカードやＳＤ(Secure Digital） カード等の各種の媒体を媒体処理用のインタフェースまで手によって押し込むタイプの媒体処理装置におけるシャッタ構造に関するものである。
【背景技術】
【０００２】
この種の媒体処理装置においては、筺体の前面に媒体を挿抜するための媒体挿入口が設けられ、筺体の内部に実装された媒体受容部にコネクタが設けられており、媒体挿入口から手によって挿入された媒体の端子がコネクタと電気的に接続されることによって媒体処理が行われる。媒体挿入口には、媒体が挿入されていないときに塵埃等が媒体受容部内に侵入しないように、媒体挿入口を閉じるシャッタが設けられており、このシャッタは媒体挿入口から挿入される媒体によって開放されるように構成されている。
【０００３】
従来の媒体処理装置におけるシャッタ構造は、細長い長方形に形成されたシャッタの両端部に互いに反対側に突設された一対の小軸が設けられ、これら小軸が支持部材の軸孔に係入されることによりシャッタが媒体挿入口を開閉するように揺動自在に支持されており、小軸に巻回されたねじりコイルばねによって、シャッタが常時閉じる方向に付勢されたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００２−２２２３９０号公報（段落「００１５」および「００１６」、図２）
【発明の開示】
【発明が解決しようとする課題】
【０００４】
上述した従来の媒体処理装置におけるシャッタ構造においては、シャッタが媒体挿入方向に揺動する構造であるため、媒体挿入口と媒体受容部との間にシャッタを揺動させるための作動空間を設ける必要がある。このため、媒体挿入口と媒体受容部との間に作動空間を形成するための間隔を必要とするため、媒体を媒体受容部内に押し込む際または媒体を取り出す際に充分な押し込み量を設けることができず操作性が低下するという問題があった。
【０００５】
本発明は上記した従来の問題に鑑みなされたものであり、その目的とするところは、手によって媒体処理ユニット内に媒体を押し込む際または媒体を取り出す際の操作性を向上させることにある。
【課題を解決するための手段】
【０００６】
この目的を達成するために、請求項１に係る発明は媒体が挿抜される媒体挿入口と、この媒体挿入口から挿入された媒体を受け入れる媒体受容部と、常時前記媒体挿入口を閉じ媒体挿入口から挿入された媒体が当接することにより前記媒体挿入口を開放するシャッタとを備えた媒体処理装置におけるシャッタ構造において、前記シャッタを媒体の厚み方向で媒体挿入口を閉じる方向に付勢する付勢手段を設け、前記シャッタに、媒体の挿入によりシャッタを前記付勢手段の付勢に抗して媒体の厚み方向で媒体挿入口を開放する方向に移動させる分力を発生させる傾斜部を設けたものである。
【０００７】
請求項２に係る発明は、請求項１に係る発明において、前記弾性部材を板ばねとし、この板ばねの基端部を前記媒体受容部側に取り付け、遊動端部に前記シャッタを取り付けたものである。
【０００８】
請求項３に係る発明は、請求項１に係る発明において、前記媒体の端子間に対応する部位に前記傾斜部を設けたものである。
【０００９】
請求項４に係る発明は、請求項１に係る発明において、前記傾斜部を前記媒体の幅方向に複数設け、これら傾斜部のうち媒体の幅方向の両端部に対応した少なくとも一対の傾斜部の前記シャッタからの突出量を他の傾斜部の前記シャッタからの突出量よりも多く形成するとともに、この一対の傾斜部の傾斜角度を他の傾斜部のシャッタの傾斜角度よりも大きく形成したものである。
【００１０】
請求項５に係る発明は、請求項１に係る発明において、前記シャッタを収容する筺体を備え、この筺体に前記媒体挿入口を開放した状態のシャッタの移動を規制する規制部を設けたものである。
【発明の効果】
【００１１】
請求項１に係る発明によれば、媒体挿入口と媒体受容部との間にシャッタが介入する隙間だけ設ければよいから、媒体挿入口と媒体受容部との間を近接させることができる。このため、媒体受容部内に媒体を押し込む操作が容易になり操作性が向上する。
【００１２】
請求項２に係る発明によれば、板ばねによってシャッタを支持したことにより、装置の厚み方向の薄型化を図ることができるとともに構造の簡素化を図ることができる。
【００１３】
請求項３に係る発明によれば、シャッタの傾斜部が媒体の端子に接触しないから端子に傷を付けるようなことがない。
【００１４】
請求項４に係る発明によれば、媒体挿入口から挿入された媒体は、複数の傾斜部のうち傾斜角度が大きい方の傾斜部に当接するため、媒体挿入方向と直交する方向の分力が大きくなるからシャッタの開放位置への移動が円滑になる。また、媒体挿入口に斜めに媒体が挿入されたとしても、他の傾斜部に媒体が確実に当接するため、シャッタの開放位置への移動が確実に行われる。
【００１５】
請求項５に係る発明によれば、シャッタを無理にこじ開けることができないため、弾性部材の破損や変形を防止することができる。
【発明を実施するための最良の形態】
【００１６】
以下、本発明の実施の形態を図に基づいて説明する。図１は本発明に係る媒体処理装置の外観を示し、同図（Ａ）は平面図、同図（Ｂ）は側面図、図２は同じくロアーケースを取り外した状態の要部を拡大して示す底面図、図３は図２におけるIII 矢視図、図４は媒体を示し、同図（Ａ）は平面図、同図（Ｂ）は正面図、図５（Ａ）は同じく媒体挿入口の近傍を拡大して示す断面図、同図（Ｂ）は媒体挿入口を拡大して示す正面図、図６および図７はシャッタの開閉動作を説明するための図２におけるVI-VI 線断面図、図８はシャッタの開放動作を説明するための説明図である。
【００１７】
図１に全体を符号１で示す媒体処理装置は、アッパーケース２とロアーケース３とによって略密閉状態の筺体を形成し、アッパーケース２の表面には各種の操作ボタン５と、これら操作ボタン５の操作内容が表示される表示部６とが設けられている。ロアーケース３の側部には、側面視正方形の手を差し入れるための凹部７が設けられているとともに、この凹部７を横切るように細長い長方形に形成された媒体挿入口８が設けられている。
【００１８】
図２および図３において、１０はアッパーケース２の底部に一体に立設したダボ１１に取り付けられたプリント配線板であって、このプリント配線板１０には扁平な箱状に形成された媒体受容部としてのカード処理ユニット１２が取り付けられている。このカード処理ユニット１２は一面が開口し、この開口１２ａが前記媒体挿入口８に対向し、開口１２ａの反対側の背面部には、後述する媒体としてのＳＤカード３０の端子３２と電気的に接続される複数のコンタクトピン１３が設けられている。
【００１９】
１５は付勢手段としての板ばねであって、基端部１６とこの基端部１６に二股状に設けられた腕部１７，１７とによって平面視コ字状に形成され、基端部１６の両側部には一対の脚部１８，１８が直角に折曲形成されている。この板ばね１５は、脚部１８，１８の先端部に設けた舌片１８ａ，１８ａをプリント配線板１０のスリット内に圧入することにより、腕部１７がプリント配線板１０と平行で腕部１７の遊端が媒体挿入口８に対向するように、基端部１６がプリント配線板１０に取り付けられる。
【００２０】
図５において、２０は上記した媒体挿入口８を開閉するシャッタであって、媒体挿入口８に対向する細長い長方形に形成されたシャッタ部２１と、このシャッタ部２１の上端から一体に突設された断面Ｌ字状の支持部２２とからなり、支持部２２が上記した板ばね１５の腕部１７の揺動端部に直角に折曲形成された折曲部１９にねじ２３によって取り付けられている。
【００２１】
シャッタ部２１には、媒体挿入口８の両端側に対応し略三角形に形成された一対の傾斜部としての第１のリブ２５，２５が一体に突設されているとともに、これら第１のリブ２５，２５間に略三角形に形成された３つの傾斜部としての第２のリブ２６が一体に突設されている。これら第１および第２のリブ２５，２６は後述するカード３０が媒体挿入口８から挿入された際、カード３０の端子３２，３２間に対応する部位に設けられている。第２のリブ２６は、図２に示すように凹部７に近接するように設けられ、第１のリブ２５は凹部７の両側においてロアーケース３に近接するように突設されている。したがって、第１のリブ２５のシャッタ２０からの突出量Ｌ１は、第２のリブ２６のシャッタ２０からの突出量Ｌ２よりも多く形成されており、図８に示すように、第１のリブ２５の傾斜角度αが第２のリブ２６の傾斜角度βよりも大きく形成されている。なお、図８は説明の便宜上、傾斜角度αと傾斜角度βとの差を誇張して図示してある。
【００２２】
また、第１のリブ２５の下端は、第２のリブ２６の下端よりも高さδだけ低い位置に位置付けている。したがって、板ばね１５の付勢力によってシャッタ２０が図中下方に向かって付勢されることにより、これら一対の第１のリブ２５，２５の下端がプリント配線板１０の上面に当接するため、シャッタ部２１の下端とプリント配線板１０の上面との間には、媒体挿入口８の幅方向に一定の高さδの隙間２８が形成される。このように、シャッタ部２１の両端側に設けた左右一対の第１のリブ２５，２５の２点でプリント配線板１０に当接させたことにより、シャッタ部２１の下面全体をプリント配線板１０に当接させるよりもシャッタ部２１の下面とプリント配線板１０との間の製造誤差を小さくすることができる。
【００２３】
図４において、３０はＳＤカード（以下、単にカードという）であって、前端部の一方の端部にカード３０を表裏反対に媒体挿入口８に挿入するのを規制するための三角形の切欠き３１が設けられており、前端部の表面にカード３０の幅方向に等間隔おいて複数の端子３２が設けられている。
【００２４】
板ばね１５に支持されたシャッタ２０は、第１のリブ２５の下端がプリント配線板１０に圧接されるように板ばね１５の付勢力によって付勢されており、シャッタ部２１が媒体挿入口８を閉じるように対向している。凹部７の内側には、図５（Ａ）に示すように、第２のリブ２６が上下方向に移動する際の移動空間としての凹嵌部７ａが設けられており、後述するようにシャッタ２０が媒体挿入口８を開放状態としたときに、シャッタ２０の第１のリブ２５の上端がこの凹嵌部７ａの天井部に対向し、シャッタ２０の上方への移動を規制する規制部を構成している。また、ロアーケース３の内側には、図６に示すように、シャッタ２０が媒体挿入口８を開放状態としたときに、このシャッタ２０の支持部２２が対向し、シャッタ２０の上方への移動を規制する規制部３ａが突設されている。
【００２５】
次に、図６および図７を用いて、このように構成された媒体処理装置のシャッタ構造におけるシャッタの開閉動作を説明する。カード３０を媒体挿入口８に挿入する以前の、図６（Ａ）の状態では、板ばね１５の付勢力によってシャッタ２０が下方に付勢され、シャッタ２０のシャッタ部２１によって媒体挿入口８は閉じている。この状態で、同図（Ｂ）に示すように、カード３０を媒体挿入口８に挿入すると、シャッタ部２１に設けられた第１のリブ２５のシャッタ２０からの突出量が第２のリブ２６のシャッタ２０からの突出量よりも多く形成されているため、カード３０の前端は第１のリブ２５に当接する。
【００２６】
このとき、カード３０の前端の一方の端部に切欠き３１が設けられているため、カード３０の前端に当接するのは、一対の第１のリブ２５の一方であり、次に隣接した第２のリブ２６に順次当接し、最後に他方の第１のリブ２５に当接する。このように、左右一対の第１のリブ２５，２５間に第２のリブ２６を設けているために、カード３０の前端に切欠き３１が設けられていたり、カード３０が斜めに挿入された場合、これら第２のリブ２６がシャッタ２０を開放するための補助的な機能を果たすため、シャッタ２０が円滑に開放される。
【００２７】
また、最初に傾斜角度αが大きい第１のリブ２５にカード３０の前端が当接するため、図８に示すようにシャッタ２０を開放させるための分力Ｆ１が第２のリブ２６に発生する分力Ｆ１′よりも大きくなる。また、第１のリブ２５に発生する板ばね１５の腕部１７の延在方向への分力Ｆ２が、第２のリブ２６に発生する板ばね１５の腕部１７の延在方向への分力Ｆ２′よりも小さくなる。このため、板ばね１５の腕部１７を圧縮する方向への応力が小さくなるから板ばね１７の変形を防止することができるとともに、シャッタ２０の上方への移動が円滑に行われる。
【００２８】
さらに、カード３０を矢印Ａ方向へ押し込むと、カード３０の前端に当接していた第１および第２のリブ２５，２６がカード３０の表面上に押し上げられ、媒体挿入口８が開放され、カード３０が開口１２ａからカード処理ユニット１２内に挿入される。ここで、第１および第２のリブ２５，２６がカード３０の表面上に押し上げられたとき、上述したように第１および第２のリブ２５，２６がカード３０の端子３２間に対応する部位に設けられているため、端子３２にこれら第１および第２のリブ２５，２６が接触することがないから、端子３２に傷を付けるようなことがない。また、シャッタ２０による媒体挿入口８の開閉を、カード３０の挿入方向である矢印Ａ方向と略直交する方向へカード３０を移動させることにより行うようにしているため、凹部７の裏面とカード処理ユニット１２の開口１２ａとの間隔Ｄを必要最小限の長さに形成することができる。
【００２９】
図７（Ａ）に示すように、さらにカード３０を押し込むと、カード３０の端子３２とカード処理ユニット１２の接触子１３とが電気的に接続され、カード３０はカード処理ユニット１２内にロックされる。カード３０に記録された情報の処理が終了し、カード３０を媒体挿入口８から抜き取る場合は、凹部７内に指先を差し入れ、指先によってカード３０の後端を矢印Ａ方向に押し込む。図示を省略した従来から広く知られているイジェクト機構により、カード３０のロックが解除されるとともにカード３０が矢印Ｂ方向へ押し出されるから、カード３０を把持し矢印Ｂ方向に引き抜くことができる。
【００３０】
このとき、凹部７の裏面とカード処理ユニット１２の開口１２ａとの間隔Ｄを必要最小限の長さに形成することができるため、カード３０をカード処理ユニット１２内にロックする際のカード３０の凹部７の表面からの突出量ｄ１およびカード３０のロックを解除する際のカード３０の凹部７の表面からの突出量ｄ２を余分に設けることができる。このため、カード３０を押し込む際およびカード３０のロックを解除する際にカード３０の矢印Ａ方向への押し込む量を充分確保することができるため操作性が向上する。
【００３１】
また、媒体挿入口８が開放された状態で、図７（Ａ）に示すように、シャッタ２０の第１のリブ２５の上端が凹嵌部７ａの天井部に対向するとともに、シャッタ２０の支持部２２が規制部３ａに対向する。したがって、仮に、媒体挿入口８に定規等を挿入し、シャッタを無理にこじ開けるようとしても、シャッタ２０の移動が規制されるため、板ばね１５の破損や変形を防止することができる。
【００３２】
図９は本発明の第２の実施の形態を示す要部の断面図である。この第２の実施の形態においては、シャッタ２０を付勢する手段として、シャッタ２０とロアーケース３との間に弾装した圧縮コイルばね４０を設けるとともに、シャッタ２０を図中上下方向に移動自在に支持するガイド部材４１をロアーケース３に一体に突設したものである。このように構成されていることにより、圧縮コイルばね２０の弾発力によってシャッタ２０が媒体挿入口８を常時閉じている。一方、媒体挿入口８からカード３０が挿入されると、圧縮コイルばね２０の弾発力に抗してシャッタ２０が上方に移動し、媒体挿入口８が開放される。
【００３３】
なお、本実施の形態においては、板ばね１５によってシャッタ２０を支持したが、プラスチックによって形成したロアーケース３に薄片状の弾性支持片を一体に突設し、この弾性支持片によってシャッタ２０を支持するようにしてもよい。
【図面の簡単な説明】
【００３４】
【図１】本発明に係る媒体処理装置の外観を示し、同図（Ａ）は平面図、同図（Ｂ）は側面図である。
【図２】本発明に係る媒体処理装置において、ロアーケースを取り外した状態の要部を拡大して示す底面図である。
【図３】図２におけるIII 矢視図である。
【図４】本発明に係る媒体処理装置における媒体を示し、同図（Ａ）は平面図、同図（Ｂ）は正面図である。
【図５】同図（Ａ）は本発明に係る媒体処理装置における媒体挿入口の近傍を拡大して示す断面図、同図（Ｂ）は媒体挿入口を拡大して示す正面図である。
【図６】本発明に係る媒体処理装置におけるシャッタの開閉動作を説明するための図２におけるVI-VI 線断面図である。
【図７】本発明に係る媒体処理装置におけるシャッタの開閉動作を説明するための図２におけるVI-VI 線断面図である。
【図８】本発明に係る媒体処理装置におけるシャッタの開放動作を説明するための説明図である。
【図９】本発明の第２の実施の形態を示す要部の断面図である。
【符号の説明】
【００３５】
１…媒体処理装置、２…アッパーケース、７…凹部、８…媒体挿入口、１０…プリント配線板、１２…カード処理ユニット、１５…板ばね（付勢手段）、１６…基端部、１７…腕部、２０…シャッタ、２１…シャッタ部、２２…支持部、２５…第１のリブ（傾斜部）、２６…第２のリブ（傾斜部）、３０…ＳＤカード（媒体）、３２…端子、４０…圧縮コイルばね（付勢手段）。
【図１】
2006139456.tif 000003
【図２】
2006139456.tif 000004
【図３】
2006139456.tif 000005
【図４】
2006139456.tif 000006
【図５】
2006139456.tif 000007
【図６】
2006139456.tif 000008
【図７】
2006139456.tif 000009
【図８】
2006139456.tif 000010
【図９】
2006139456.tif 000011